(57)【特許請求の範囲】
【請求項１】
内容液を収納する容器体の口部に組付いて、列設した複数の櫛歯片間に、前記内容液を吐出可能とした合成樹脂製の塗布体を有する櫛付き容器であって、頂板に前記櫛歯片を列設した有頂短筒状の主体筒の内周面から離れた上端部に、ヒンジを介して固定板片を連設した櫛歯体と、前記容器体の口部に組付く取付き筒を下端に設け、吐出路を上下に貫通形成した縦長筒状の起立筒片の上端に、前記主体筒に密嵌入して吐出室を形成する有底短筒状の組付き筒を連設した起立筒体とから成り、前記固定板片を組付き筒の底壁外面に不動に固定した櫛付き容器。
【請求項２】
櫛歯体の主体筒の下端部に、起立筒体の起立筒片に対し、着脱自在に不動に組付く掴持片を、連結片を介して連設した請求項１記載の櫛付き容器。
【請求項３】
起立筒体の組付き筒の底壁外面に、櫛歯体の固定板片をカシメ固定する固定突片を、一体に突設した請求項１または２記載の櫛付き容器。
【請求項４】
櫛歯体の主体筒の頂板内面に、起立筒体の組付き筒に密嵌入する短筒片状のシール筒片を設けた請求項１〜３のいずれか１項に記載の櫛付き容器。
【請求項５】
起立筒片の上端に、斜めに起立した姿勢の縦に長い長円短筒状の組付き筒を下側部分で連設し、櫛歯体の縦に長い長円短筒状の主体筒の頂板に、上下方向に沿って２列の櫛歯片を列設し、該２列の櫛歯片間に内容液を吐出する細長の吐出孔を上下に分けて開設した請求項１〜４のいずれか１項に記載の櫛付き容器。
【発明の詳細な説明】
【技術分野】
【０００１】
本発明は、容器体に収納された白髪染め液、ヘアマニキュア、ヘアカラーさらには整髪料等の内容液を、容器体から頭髪に直接塗布すべく構成した櫛付き容器に関するものである。
【背景技術】
【０００２】
スクイズ性を有する容器体やエアゾール式の容器体に、容器体の白髪染め液やヘアマニキュア等の内容液を、直接頭髪に塗布することができるようにした塗布体を組付けた櫛付き容器が知られているが、この種の櫛付き容器は、列設された複数の櫛歯片間に、容器体に収納された内容液を吐出する構成となっていて、適量の内容液を櫛歯片間に吐出した状態で、櫛付き容器で頭髪を梳くことにより、そのまま内容液を頭髪に塗布するものとなっている。
【０００３】
この櫛付き容器にあっては、容器体の内容液を直接頭髪に塗布することができるので、頭髪に対する内容液の簡単で素早い塗布を得ることができると云う利点がある反面、頭髪に対する内容液の塗布後、塗布体内に残留した内容液が乾燥固化し、以降の使用を不能とする、もしくは不良とする、と云う不都合があった。
【０００４】
この不都合を解消する従来技術として、塗布体である櫛部組立体を、櫛体と、基台と、スパウト部材とから構成し、この櫛部組立体の各構成部分を分解可能とし、分解された櫛体、基台、そしてスパウト部材を、個々に洗浄可能に構成した、ものがある。
【特許文献１】特開平９−０６６２４６号公報
【０００５】
上記従来技術にあっては、櫛部組立体を、押ボタンの押圧操作等により係止状態を解除した、容器体から引き抜き状に分離させ、この容器体から分離させた櫛部組立体を、櫛体、基台、そしてスパウト部材の各構成部分に分解し、この分解した各構成部分を、個々に洗浄することにより、内容液である剤の流路内を、無理なく充分に洗浄することができる、と云う利点がある。
【発明の開示】
【発明が解決しようとする課題】
【０００６】
しかしながら、上記した従来技術にあっては、洗浄に際して、櫛部組立体を、容器体から分離し、次いで各構成部分に分解しなければならず、このため洗浄操作および洗浄のための取扱い操作が、煩雑で面倒である、と云う問題があった。
【０００７】
また、櫛部組立体の洗浄した各構成部分は、乾くまで別々に取扱われるので、その取扱いと保管とが煩わしいものとなる易く、時として構成部分の一部が紛失することが起こり易い、と云う問題があった。
【０００８】
そこで、本発明は、上記した従来技術における問題点を解消すべく創案されたもので、櫛付き容器における内容液の吐出流路の主体部分である、櫛歯片に近接した流路部分を、構成部分を分解することなく、大きく開放できるようにすることを技術的課題とし、もって櫛付き容器の内容液吐出流路の洗浄を、充分にかつ簡単に達成することを目的とする。
【課題を解決するための手段】
【０００９】
本発明の櫛付き容器は、白髪染め液、ヘアマニキュア、ヘアカラーさらには整髪料等の内容液を収納する容器体の口部に、列設した複数の櫛歯片間に内容液を吐出可能とした合成樹脂製の塗布体を組付けたものであって、塗布体は、多数の櫛歯片を列設した櫛歯体と、容器体に組付くと共に、櫛歯体との間に、吐出された内容液を各櫛歯片間に吐出する吐出孔に導く吐出室を形成する起立筒体とから構成されている。
【００１０】
櫛歯体は、頂板に複数の櫛歯片を列設した有頂短筒状の主体筒の内周面から離れた上端部に、ヒンジを介して固定版片を連設して構成されている。
【００１１】
また、起立筒体は、容器体の口部に組付く取付き筒を下端に設け、吐出路を上下に貫通形成した縦長筒状の起立筒片の上端に、櫛歯体の主体筒に密嵌入して吐出室を形成する、有底短筒状の組付き筒を連設して構成されている。
【００１２】
そして、櫛歯体の固定板片を、起立筒体の組付き筒の底壁外面に不動に固定している。
【００１３】
櫛歯体の主体筒と起立筒体の組付き筒との間に形成される吐出室は、吐出路を通って導かれてきた吐出内容液を、櫛歯片間に吐出させるための「溜まり」を形成する部分となっており、吐出内容液の分岐点となっている。
【００１４】
それゆえ、櫛歯体の主体筒と起立筒体の組付き筒との密嵌合を解除して、吐出室を開放すると、吐出室内は当然のこととして、容器体からの流路である吐出路と、櫛歯片間への吐出路との全てが、開放状態となる。
【００１５】
このように吐出路の全てを開放状態とすることにより、水道水等による吐出路の洗浄が行い易い状態となる。
【００１６】
櫛歯体と起立筒体は、固定板片を組付き筒に不動に固定することにより、ヒンジ結合されることになり、このため吐出路を洗浄すべく吐出室を開放する状態となっても、櫛歯体を起立筒体とは分離することなく、一体的に連結されている。
【００１７】
また、櫛歯体と起立筒体を連結するヒンジは、櫛歯体の主体筒の内周面から離れた箇所と、起立筒体の組付き筒の底壁外面に固定された固定版片とを連結しているので、吐出室を形成する櫛歯体の主体筒と、起立筒体の組付き筒との密嵌合組付きに影響を与えることはない。
【００１８】
本発明の別の構成は、櫛歯体の主体筒の下端部に、起立筒体の起立筒片に対し、着脱自在に不動に組付く掴持片を、連結片を介して連設した、ことにある。
【００１９】
櫛歯体に掴持片を設けたものにあっては、掴持片の起立筒片に対する不動な組付きにより、主体筒と組付き筒の密な組付きと、起立筒体に対する櫛歯体の、揺動変位不能な組付きを確保する。
【００２０】
また、本発明の別の構成は、起立筒体の組付き筒の底壁外面に、櫛歯体の固定板片をカシメ固定する固定突片を、一体に突設した、ことにある。
【００２１】
起立筒体の組付き筒の底壁外面に固定突片を一体に突設したものにあっては、組付き筒の底壁外面に対して、固定板片を不動に組付ける部分が、簡単な構成となる。
【００２２】
また、本発明の別の構成は、櫛歯体の主体筒の頂板内面に、起立筒体の組付き筒に密嵌入する短筒片状のシール筒片を設けた、ことにある。
【００２３】
主体筒の頂板内面にシール筒片を設けたものにあっては、主体筒と組付き筒との密な嵌合組付きの、密嵌合程度を充分に高めることになる。
【００２４】
また、本発明の別の構成は、起立筒片の上端に、斜めに起立した姿勢の縦に長い長円短筒状の組付き筒を下側部分で連設し、櫛歯体の縦に長い長円短筒状の主体筒の頂板に、上下方向に沿って２列の櫛歯片を列設し、この２列の櫛歯片間に内容液を吐出する細長の吐出孔を上下に分けて開設した、ことにある。
【００２５】
斜めに起立した姿勢の縦長長円短筒状の組付き筒の下側部分に、起立筒片の上端を連設し、２列の櫛歯片間に上下に分けて細長の吐出孔を開設したものにあっては、縦長な櫛歯体の略全長さ範囲に亘って内容液を吐出させることができると共に、吐出孔を上下に分けることにより、吐出孔を開設することによる頂板の機械的強度の低下を、大幅に抑制することができる。
【発明の効果】
【００２６】
本発明は、上記した構成となっているので、以下に示す効果を奏する。
本発明にあっては、吐出室を開放すると、吐出室内は当然のこととして、容器体からの流路である吐出路と、櫛歯片間への吐出路とが、開放状態となるので、塗布体内に形成されている内容液の吐出路の全てを開放状態とすることができ、これにより吐出路の全部の洗浄を容易にかつ確実に達成できる。
【００２７】
櫛歯体と起立筒体は、分離することなく一体的に連結されているので、簡単で安全な取扱いを得ることができる。
【００２８】
さらに、櫛歯体と起立筒体を連結するヒンジは、吐出室を形成する主体筒と組付き筒との密嵌合組付きに影響を与えることはなく、これにより吐出室の高い液密性を維持することができ、内容液の漏出を確実に防止することができる。
【００２９】
そして、吐出路の全てを開放状態とすることができるので、この吐出路の洗浄を、水道水を注ぐ等により簡単にかつ充分に行うことができる。
【００３０】
櫛歯体に掴持片を設けたものにあっては、掴持片の起立筒片に対する不動な組付きにより、主体筒と組付き筒の密な組付きを、不要な変位を生じさせることなく確保するので、液漏れのない吐出室を確保すると共に、起立筒体に対する櫛歯体の、不要な揺動変位を確実に防止して、良好な頭髪梳き動作を得ることができる。
【００３１】
起立筒体の組付き筒の底壁外面に固定突片を一体に突設したものにあっては、組付き筒の底壁外面に固定板片を不動に組付ける部分の構成が簡単となり、これにより全体構造を単純化することができると共に、組立て操作が容易となる。
【００３２】
主体筒の頂板内面にシール筒片を設けたものにあっては、主体筒と組付き筒との密な嵌合組付きの、密嵌合程度を充分に高めることになるので、吐出室の液漏れ防止を、高いレベルで達成することができる。
【００３３】
斜めに起立した姿勢の縦長長円短筒状の組付き筒を下側部分に起立筒片の上端を連設し、２列の櫛歯間に上下に分けて細長の吐出孔を開設したものにあっては、櫛歯体の略全域に内容液を吐出させることができると共に、吐出孔を開設することによる機械的強度の低下を抑制することができるので、安定して良好な内容液塗布動作を得ることができる。
【発明を実施するための最良の形態】
【００３４】
以下、本発明の一実施形態を、図面を参照しながら説明する。
【００３５】
本発明の櫛付き容器における塗布体１は、スクイズ性を有する容器体２１やエアゾール式の容器体２１の上端口部２２に組付けられるもので、容器体２１の口部２２に組付く取付き筒１８を有する起立筒体１３と、この起立筒体１３に密に組付き、２つ縦列設した複数の櫛歯片５間に、容器体２１に収納された白髪染め液やヘアマニキュア等の内容液を吐出可能とした櫛歯体２と、から構成されている。
【００３６】
起立筒体１３は、容器体２１の口部２２に外嵌組付きする取付き筒１８と、容器体２１に連通可能に接続して立ち上がり、内部に上下に貫通した吐出路１５を形成した起立筒片１４と、この起立筒片１４の上端に、傾斜姿勢で連設された縦に長い有底長円短筒状の組付き筒１６とから構成されており、組付き筒１６の底壁外面には、固定突片１７が突設されている。
【００３７】
図示構成例は、容器体２１がエアゾール容器であるので、（以下、図１参照）起立筒片１４の下端の前側部分は、取付き筒１８にヒンジ結合されており、また起立筒片１４の下端部に垂下連設された接続筒片１９を、容器体２１のステム２３に密嵌合させ、そして起立筒片１４の下端部の後側部分に、起立筒体１３を回動下降変位させるための押し下げ片２０を設けている。
【００３８】
櫛歯体２は、起立筒体１３の組付き筒１６への組付き部分を形成すると共に、組付き筒１６と組合さって吐出室Ａを形成する、有頂長円短筒状の主体筒３と、この主体筒３の内周面から離れた上端部に、ヒンジ１２を介して連設された固定板片１１と、主体筒３の下端部に連結片１０を介して連設された掴持片９とから構成されている。
【００３９】
主体筒３は、頂板４と、組付き筒１６が密嵌入する筒壁７とから構成され、頂板４には、２列の櫛歯片５が上下方向に沿って平行に設けられていると共に、両櫛歯片５の列の間に、上下に分割された縦に細長な吐出孔６が開設されており、さらに内面に、組付き筒に密嵌入するシール筒片８が垂下状に設けられている。
【００４０】
また、シール筒片８は、筒壁７に嵌入した組付き筒１６の開口端部に、筒壁７との間で挟持する状態で密嵌入し、これにより主体筒３と組付き筒１６との強固な密嵌組付きを達成している。
【００４１】
筒壁７の下面上端にヒンジ１２を介して連設された固定板片１１の中央には、透孔状の取付け孔が設けられており、この取付け孔に固定突片１７を嵌着させることにより、固定板片１７の組付き筒１６に対する強固なカシメ組付けが達成される。
【００４２】
筒壁７の下端に連結片１０を介して連設された掴持片９は、門型断面構造（図３参照）を有しており、四角筒状をした起立筒片１４に対して、挟み込む形態で着脱自在に組付く。
【００４３】
この掴持片９を持って引上げると、櫛歯体２は、ヒンジ１２を回動軸として、起立筒体１３に対して、主体筒３と組付き筒１６を分離させる方向に回動し、吐出室Ａを開放（図６参照）する。
【００４４】
この吐出室Ａの開放状態にあっては、主体筒３および組付き筒１６の筒壁部分全域が開放されることになり、また吐出路１５は、その上下両端開口部が開放されることになり、さらに吐出孔６は、その全域が露出されることになる。
【００４５】
このように、吐出孔６の全域を露出させた状態で、例えば開放された主体筒３および組付き筒１６に、水道の蛇口等から、直接水を注いで、塗布体１の内部を短時間に効果的に洗浄することができる。
【００４６】
また、塗布体１を容器体２１から外して、組付き筒１６を開放した状態で、起立筒片１３の下端開口部から水道水を注ぐことにより、吐出路１５内は当然のこととして、塗布体１全体を洗浄することができ、洗浄後、新しい容器体２１を組付けて、塗布体１を繰り返し使用することができる。また、同様に、塗布体１を容器体２１から外し、主体筒３および組付き筒１６を開放した状態で、塗布体１全体を洗面器等に溜めた水に浸漬して洗浄することもできる。
【００４７】
なお、図示実施例にあっては、吐出孔６を、頂板４に直接開設した構造となっているが、これに限られることはなく、各櫛歯片５内に成形された吐出通路の基端開口部として構成しても良い。
【００４８】
この構成であっても、各櫛歯片５に形成された吐出孔６は、隠れることなく、その全てが露出する。
【図面の簡単な説明】
【００４９】
【図１】本発明の実施形態例の、一部破断した全体側面図である。
【図２】図１の実施形態例の、要部拡大縦断面図である。
【図３】図１の実施形態例の、要部拡大平断面図である。
【図４】図１の実施形態例の、要部拡大正面図である。
【図５】図１の実施形態例の、要部拡大背面図である。
【図６】図１の実施形態例の、開状態の要部拡大縦断面図である。
【符号の説明】
【００５０】
１  ；  塗布体
２  ；  櫛歯体
３  ；  主体筒
４  ；  頂板
５  ；  櫛歯片
６  ；  吐出孔
７  ；  筒壁
８  ；  シール筒片
９  ；  掴持片
１０；  連結片
１１；  固定板片
１２；  ヒンジ
１３；  起立筒体
１４；  起立筒片
１５；  吐出路
１６；  組付き筒
１７；  固定突片
１８；  取付き筒
１９；  接続筒片
２０；  押下げ片
２１；  容器体
２２；  口部
２３；  ステム
Ａ  ；  吐出室
【図１】
0005093467.tif 000002
【図２】
0005093467.tif 000003
【図３】
0005093467.tif 000004
【図４】
0005093467.tif 000005
【図５】
0005093467.tif 000006
【図６】
0005093467.tif 000007